【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
デイジーチェーン接続により、一方でホスト装置又は第１のプリンターと接続され、他方で第２のプリンターと接続されるプリンターであって、
前記ホスト装置又は前記第１のプリンターから印刷要求データを受信し、当該印刷要求データを前記第２のプリンターに送信する受送信部と、
前記受送信部が受信した印刷要求データを解釈し、当該解釈の結果に基づいて印刷制御処理を実行する印刷部と、
前記印刷部の印刷制御処理の結果に基づいて、当該プリンターの個別応答データを生成すると共に、前記第２のプリンターから受信した応答データと前記個別応答データから統合応答データを生成し、当該統合応答データを前記ホスト装置又は前記第１のプリンターに送信する応答部と、を有する
ことを特徴とするプリンター。
【請求項２】
請求項１において、
印刷可能な用紙種類の情報を記憶する記憶部を備え、
前記印刷部は、前記印刷要求データに含まれる使用する用紙種類の情報と前記記憶部に記憶された情報を基に、印刷を実行するか否かを決定し、印刷を実行すると決定した場合には前記印刷要求データに従った印刷を実行し、実行しないと決定した場合には印刷を行わない
ことを特徴とするプリンター。
【請求項３】
請求項１又は２において、
前記応答部は、前記個別応答データと前記受信した応答データの中からデータを選択して、あるいは、前記個別応答データと前記受信した応答データを合成して、前記統合応答データを生成する
ことを特徴とするプリンター。
【請求項４】
請求項３において、
前記個別応答データまたは前記受信した応答データに発生したエラーに関するデータが含まれる場合は、
前記応答部は、前記データの選択を、予め定められたエラーのレベル情報に基づいて行う
ことを特徴とするプリンター。
【請求項５】
請求項１乃至４のいずれか一項において、
前記第１のプリンター及び前記第２のプリンターと互換性を有する
ことを特徴とするプリンター。
【請求項６】
デイジーチェーン接続により、一方でホスト装置又は第１のプリンターと接続され、他方で第２のプリンターと接続されるプリンターの制御方法であって、
前記ホスト装置又は前記第１のプリンターから印刷要求データを受信し、当該印刷要求データを前記第２のプリンターに送信する工程と、
前記受信した印刷要求データを解釈し、当該解釈の結果に基づいて印刷処理の制御を実行する工程と、
前記印刷処理の結果に基づいて、当該プリンターの個別応答データを生成すると共に、前記第２のプリンターから受信した応答データと前記個別応答データから統合応答データを生成し、当該統合応答データを前記ホスト装置又は前記第１のプリンターに送信する工程と、を有する
ことを特徴とするプリンターの制御方法。
【請求項７】
請求項６において、
前記印刷要求データに含まれる使用する用紙種類の情報と、印刷可能な用紙種類の情報とを基に、印刷を実行するか否かを決定する工程と、
印刷を実行すると決定した場合には前記印刷要求データに従った印刷を実行する工程と、を有する
ことを特徴とするプリンターの制御方法。
【請求項８】
請求項６又は７において、
前記個別応答データと前記受信した応答データの中からデータを選択して、あるいは、前記個別応答データと前記受信した応答データを合成して、前記統合応答データを生成する工程を、有する
ことを特徴とするプリンターの制御方法。
【請求項９】
請求項８において、
前記個別応答データまたは前記受信した応答データに発生したエラーに関するデータが含まれる場合は、前記データの選択を、予め定められたエラーのレベル情報に基づいて行う工程を、有する
ことを特徴とするプリンターの制御方法。
【請求項１０】
請求項６乃至９のいずれか一項において、
前記第１のプリンター及び前記第２のプリンターと互換性を有して制御する
ことを特徴とするプリンターの制御方法。
【請求項１１】
デイジーチェーン接続により、一方でホスト装置又は第１のプリンターと接続され、他方で第２のプリンターと接続されるプリンターの制御プログラムであって、
前記ホスト装置又は前記第１のプリンターから印刷要求データを受信し、当該印刷要求データを前記第２のプリンターに送信する工程と、
前記受信した印刷要求データを解釈し、当該解釈の結果に基づいて印刷処理の制御を実行する工程と、
前記印刷処理の結果に基づいて、当該プリンターの個別応答データを生成すると共に、前記第２のプリンターから受信した応答データと前記個別応答データから統合応答データを生成し、当該統合応答データを前記ホスト装置又は前記第１のプリンターに送信する工程と、を前記プリンターに実行させる
ことを特徴とするプリンターの制御プログラム。
【手続補正２】
【補正対象書類名】明細書
【補正対象項目名】発明の名称
【補正方法】変更
【補正の内容】
【発明の名称】プリンター、制御方法、及び制御プログラム
【手続補正３】
【補正対象書類名】明細書
【補正対象項目名】００１２
【補正方法】変更
【補正の内容】
【００１２】
上記の目的を達成するために、本発明の一つの側面は、デイジーチェーン接続により、一方でホスト装置又は第１のプリンターと接続され、他方で第２のプリンターと接続されるプリンターが、前記ホスト装置又は前記第１のプリンターから印刷要求データを受信し、当該印刷要求データを前記第２のプリンターに送信する受送信部と、前記受送信部が受信した印刷要求データを解釈し、当該解釈の結果に基づいて印刷制御処理を実行する印刷部と、前記印刷部の印刷制御処理の結果に基づいて、当該プリンターの個別応答データを生成すると共に、前記第２のプリンターから受信した応答データと前記個別応答データから統合応答データを生成し、当該統合応答データを前記ホスト装置又は前記第１のプリンターに送信する応答部と、を有する、ことである。
【手続補正４】
【補正対象書類名】明細書
【補正対象項目名】００１３
【補正方法】変更
【補正の内容】
【００１３】
更に、上記発明において、その好ましい態様は、印刷可能な用紙種類の情報を記憶する記憶部を備え、前記印刷部は、前記印刷要求データに含まれる使用する用紙種類の情報と前記記憶部に記憶された情報を基に、印刷を実行するか否かを決定し、印刷を実行すると決定した場合には前記印刷要求データに従った印刷を実行し、実行しないと決定した場合には印刷を行わない、ことを特徴とする。
【手続補正５】
【補正対象書類名】明細書
【補正対象項目名】００１５
【補正方法】変更
【補正の内容】
【００１５】
更に、上記発明において、その好ましい態様は、前記個別応答データまたは前記受信した応答データに発生したエラーに関するデータが含まれる場合は、前記応答部は、前記データの選択を、予め定められたエラーのレベル情報に基づいて行う、ことを特徴とする。
【手続補正６】
【補正対象書類名】明細書
【補正対象項目名】００１６
【補正方法】変更
【補正の内容】
【００１６】
更にまた、上記発明において、その好ましい態様は、前記第１のプリンター及び前記第２のプリンターと互換性を有する、ことを特徴とする。
【手続補正７】
【補正対象書類名】明細書
【補正対象項目名】００１７
【補正方法】変更
【補正の内容】
【００１７】
上記の目的を達成するために、本発明の別の側面は、デイジーチェーン接続により、一方でホスト装置又は第１のプリンターと接続され、他方で第２のプリンターと接続されるプリンターの制御方法が、前記ホスト装置又は前記第１のプリンターから印刷要求データを受信し、当該印刷要求データを前記第２のプリンターに送信する工程と、前記受信した印刷要求データを解釈し、当該解釈の結果に基づいて印刷処理の制御を実行する工程と、前記印刷処理の結果に基づいて、当該プリンターの個別応答データを生成すると共に、前記第２のプリンターから受信した応答データと前記個別応答データから統合応答データを生成し、当該統合応答データを前記ホスト装置又は前記第１のプリンターに送信する工程と、を有する、ことである。
【手続補正８】
【補正対象書類名】明細書
【補正対象項目名】００１８
【補正方法】変更
【補正の内容】
【００１８】
上記の目的を達成するために、本発明の更に別の側面は、デイジーチェーン接続により、一方でホスト装置又は第１のプリンターと接続され、他方で第２のプリンターと接続されるプリンターの制御プログラムが、前記ホスト装置又は前記第１のプリンターから印刷要求データを受信し、当該印刷要求データを前記第２のプリンターに送信する工程と、前記受信した印刷要求データを解釈し、当該解釈の結果に基づいて印刷処理の制御を実行する工程と、前記印刷処理の結果に基づいて、当該プリンターの個別応答データを生成すると共に、前記第２のプリンターから受信した応答データと前記個別応答データから統合応答データを生成し、当該統合応答データを前記ホスト装置又は前記第１のプリンターに送信する工程と、を前記プリンターに実行させる、ことである。